(57)【要約】【課題】使用履歴の累積に伴う中間転写体の光沢度の低下を遅くして、中間転写体の交換寿命を引き伸ばし得る画像形成装置を提供する。【解決手段】結晶性の熱可塑性樹脂を無端状に成形したベルト材料を一方向に回転させながら研磨フィルムに摺擦させて中間転写ベルト７を研磨仕上げする。中間転写ベルト７よりも二次転写ローラ１１の表面速度を大きく設定した画像形成装置１００に、研磨仕上げ時の中間転写ベルト７の回転方向と逆方向に回転するように、中間転写ベルト７を取り付ける。【選択図】図１
2009063901.tif 000002
【特許請求の範囲】
【請求項１】
トナー像を担持する像担持体と、
前記像担持体から転写されたトナー像を担持する中間転写体と、
前記中間転写体との間で記録材を挟持搬送してトナー像の転写部を形成する転写回転体と、
前記転写部に電圧を印加して前記中間転写体から記録材へトナー像を転写させる電源手段と、を備え、前記転写部における前記中間転写体と前記転写回転体との間に表面速度差が設定された画像形成装置において、
前記中間転写体は、熱可塑性樹脂を用いて単層に形成されて、研磨部材を用いて研磨仕上げした際に形成された研磨痕跡を表面に有し、
前記表面速度差によって記録材の表面が前記中間転写体を摺擦する方向は、前記研磨痕跡によって示される前記研磨部材が前記中間転写体を摺擦した方向に設定されていることを特徴とする画像形成装置。
【請求項２】
前記研磨痕跡は、研磨仕上げした際に表面組織が破断した破断面が微粒子状に無数分散し、
前記研磨部材の移動方向は、前記破断面が向いた方向であることを特徴とする請求項１記載の画像形成装置。
【請求項３】
前記熱可塑性樹脂は、ポリブチレンテレフタレート、ポリフェニレンサルファイド、又はポリエーテルエーテルケトンであって、
少なくとも前記表面が結晶化された組織を有し、
前記表面は、十点平均粗さが１μｍ以下に研磨仕上げされて鏡面状であることを特徴とする請求項２記載の画像形成装置。
【請求項４】
前記転写部の下流側で前記中間転写体に対してカウンタ方向にクリーニングブレードを当接させるクリーニング装置を備え、
前記クリーニングブレードは、ポリウレタンで形成されていることを特徴とする請求項３記載の画像形成装置。
【請求項５】
熱可塑性樹脂を用いて単層に形成された中間転写体において、
前記中間転写体よりも大きな表面速度が転写回転体に設定された画像形成装置に装着され、
前記中間転写体には、表面を研磨仕上げした研磨部材が前記表面を摺擦した方向に回転方向が表示されていることを特徴とする中間転写体。
【請求項６】
熱可塑性樹脂を用いて単層に形成された中間転写体において、
前記中間転写体よりも小さな表面速度が転写回転体に設定された画像形成装置に装着され、
前記中間転写体には、表面を研磨仕上げした研磨部材が前記表面を摺擦した方向と逆向きの回転方向が表示されていることを特徴とする中間転写体。
【発明の詳細な説明】
【技術分野】
【０００１】
本発明は、中間転写体に重ねて挟持搬送される記録材へ、中間転写体に担持させたトナー像を転写する画像形成装置、詳しくは中間転写ベルトの表面組織の方向性に応じた回転方向の設定に関する。
【背景技術】
【０００２】
像担持体からトナー像を転写して中間転写体（中間転写ベルト、中間転写ドラム等）へ担持させた後に、転写部で中間転写体から記録材へトナー像を転写させる中間転写方式の画像形成装置が実用化されている。
【０００３】
従来、中間転写体は、ポリイミド等の熱硬化性樹脂を用いて単層に形成されたり、弾性層の表面に離型層を形成して複数層に形成されたりしていた。
【０００４】
しかし、近年、加工性、加工生産性の観点から、中間転写体を、熱可塑性樹脂を用いて単層に形成する試みがなされている。
【０００５】
特許文献１には、ロータリー現像装置を用いて感光ドラムに形成した各色のトナー像を、中間転写ベルトに転写して重ね合わせ、中間転写ベルトから記録材へ一括二次転写する中間転写方式の画像形成装置が示される。ここでは、中間転写ベルトの表面にゴム材料の弾性層が形成され、弾性層の表面は、中間転写ベルトの表面に対して砥石ローラをカウンタ方向に摺擦回転させて研磨仕上げしてある。そして、研磨仕上げの方向と感光ドラムの表面の相対移動方向とを一致させることで、運転時に感光ドラム及び中間転写ベルトに摺擦傷ができにくくしている。
【０００６】
特許文献２には、感光体ベルトに形成した各色トナー像を、熱可塑性樹脂の中間転写ベルトに転写して重ね合わせた後に、中間転写ベルトから記録材へ一括二次転写する画像形成装置が示される。ここでは、内面を鏡面仕上げされた円管と加熱ローラとの間に無端状に形成した中間転写ベルトを挟み込んで回転させることにより、中間転写ベルトを所定の厚さに熱圧延するとともに表面を鏡面仕上げしている。
【０００７】
特許文献３には、熱可塑性樹脂の一例であるポリエーテルエーテルケトン（ＰＥＥＫ）樹脂を用いた中間転写ベルトの製造方法が記載されている。ここでは、スパイラル環状ダイスを用いて筒状に連続溶融押し出し成形したチューブ材料を軸方向に引っ張って所定の厚みに誘導しつつ、外側と内側とからマンドレル（冷却型）に接触させている。
【０００８】
【特許文献１】特開２０００−１５５４７５号公報
【特許文献２】特開平４−３０３６２８号公報
【特許文献３】特開２００５−１１２９４２号公報
【発明の開示】
【発明が解決しようとする課題】
【０００９】
中間転写方式の画像形成装置は、直接転写方式に比較して、厚みの異なる記録材へ対応が容易であり、近年では、厚みに限らず、種々の材料、表面性状の記録材への対応も求められている。
【００１０】
中間転写体は、表面の光沢度を所定範囲に揃えて製造され、使用履歴の累積に伴って光沢度が許容範囲を逸脱すると、必要な機能を十分に果たせなくなるため、新品交換される。中間転写体の表面の光沢度は、摩擦係数、トナーの担持性、転写効率、中間転写体に形成した制御用トナー像の検知精度等に影響するからである。
【００１１】
中間転写方式の画像形成装置では、転写性の改善等を目的として、二次転写部を形成する中間転写体と転写回転体との間に０．５〜２％程度の表面速度差を意図的に設定する場合がある。また、中間転写体に転写回転体を圧接して従動回転させている場合、表面のすべりに起因して、記録材は、中間転写体の表面速度に対して等速以下になる。
【００１２】
熱可塑性樹脂を用いて単層に形成した中間転写体と転写回転体との間に表面速度差があると、記録材によっては、使用履歴の累積に伴う中間転写体の光沢度の低下が著しくなり、中間転写体の交換寿命が短くなることが判明した。
【００１３】
例えば、１５万枚程度の寿命を想定した中間転写ベルトでも、１万枚に満たない累積枚数で中間転写体の光沢度が許容範囲を割り込み、トナーの転写ムラや制御用トナー像の検知精度低下が深刻になる場合がある。
【００１４】
本発明は、熱可塑性樹脂を用いて単層に形成した中間転写体における使用履歴の累積に伴う表面の光沢度の低下を遅くして、交換寿命を引き伸ばし得る画像形成装置を提供することを目的としている。
【課題を解決するための手段】
【００１５】
本発明の画像形成装置は、トナー像を担持する像担持体と、前記像担持体から転写されたトナー像を担持する中間転写体と、前記中間転写体との間で記録材を挟持搬送してトナー像の転写部を形成する転写回転体と、前記転写部に電圧を印加して前記中間転写体から記録材へトナー像を転写させる電源手段とを備え、前記転写部における前記中間転写体と前記転写回転体との間に表面速度差が設定されたものである。そして、前記中間転写体は、熱可塑性樹脂を用いて単層に形成されて、研磨部材を用いて研磨仕上げした際に形成された研磨痕跡を表面に有し、前記表面速度差によって前記転写回転体の表面が前記中間転写体を摺擦する方向は、前記研磨痕跡によって示される前記研磨部材が前記中間転写体を摺擦した方向に設定されている。
【発明の効果】
【００１６】
本発明の画像形成装置では、中間転写体と転写回転体との間に設定された表面速度差によって記録材が中間転写体を摺擦する方向が、研磨仕上げした際に研磨部材が中間転写体を摺擦した方向と一致している。このため、逆の場合に比較して、記録材の摺擦による中間転写体の表面の研磨痕跡が壊れにくく、表面の微細形状の変化に伴う光沢度の変化が少なくなる。
【００１７】
従って、熱可塑性樹脂を用いて単層に形成した中間転写体における使用履歴の累積に伴う表面の光沢度の低下を遅くして、光沢度の低下に伴う上記した各問題を起こり難くし、交換寿命を引き伸ばし得る。
【００１８】
なお、本発明において、方向が一致するとは、誤差０度で厳密に重なり合う意味ではなく、逆では無い程度に一致しているという幅を持たせた意味で用いている。
【００１９】
研磨痕跡は、後述するように、研磨仕上げした際の研磨部材の移動方向を記録しているので、研磨仕上げ後（現在）の表面を拡大観察することで、過去の研磨部材の移動方向（中間転写体の表面に対する相対移動の方向）を確定できる。
【発明を実施するための最良の形態】
【００２０】
以下、本発明のいくつかの実施形態を、図面を参照して詳細に説明する。本発明は、中間転写体の表面を研磨仕上げした方向を、転写回転体と中間転写体との表面速度差の設定に関係付ける限りにおいて、各実施形態の構成の一部または全部を、その代替的な構成で置き換えた別の実施形態でも実施できる。
【００２１】
従って、中間転写体に沿って複数の感光ドラムを配置したタンデム型の画像形成装置のみならず、中間転写体に１個の感光ドラムを配置した１ドラム型の画像形成装置でも実施できる。
【００２２】
本実施形態では、トナー像の形成／転写に係る主要部のみを説明するが、本発明は、必要な機器、装備、筐体構造を加えて、プリンタ、各種印刷機、複写機、ＦＡＸ、複合機等、種々の用途で実施できる。
【００２３】
なお、特許文献１、２に示される画像形成装置の一般的な事項、および特許文献３に示される熱可塑性樹脂の製造方法、各種測定方法については、図示を省略して重複する説明を省略する。
【００２４】
＜第１実施形態＞
図１は第１実施形態の画像形成装置の構成の説明図、図２は画像形成部及び二次転写部の構成の説明図、図３は光学検出センサの説明図である。
【００２５】
図１に示すように、第１実施形態の画像形成装置１００は、中間転写ベルト７の直線区間に、４つの画像形成部Ｐａ、Ｐｂ、Ｐｃ、Ｐｄを配列したタンデム型フルカラー複写機である。
【００２６】
画像形成部Ｐａでは、感光ドラム１ａにイエロートナー像が形成されて中間転写ベルト７に一次転写される。画像形成部Ｐｂでは、感光ドラム１ｂにマゼンタトナー像が形成されて中間転写ベルト１のイエロートナー像に重ねて一次転写される。画像形成部Ｐｃ、Ｐｄでは、それぞれ感光ドラム１ｃ、１ｄにシアントナー像、ブラックトナー像が形成されて同様に中間転写ベルト７に順次重ねて一次転写される。
【００２７】
中間転写ベルト７に一次転写された四色のトナー像は、二次転写部Ｔ２へ搬送されて記録材Ｐへ一括二次転写される。二次転写部Ｔ２で四色のトナー像を二次転写された記録材Ｐは、定着装置２５で加熱加圧を受けて表面にトナー像を定着された後に、画像装置１００の外部へ排出される。
【００２８】
定着装置２５は、ランプヒータ２５ｃを配置した加熱ローラ２５ａに加圧ローラ２５ｂを圧接して構成されるローラ定着器である。定着装置２５は、記録材Ｐに静電的に担持されたトナー像を、熱と圧力により記録材の表面に固定する。
【００２９】
画像形成部Ｐａ、Ｐｂ、Ｐｃ、Ｐｄは、付設された現像装置４ａ、４ｂ、４ｃ、４ｄで用いるトナーの色がイエロー、マゼンタ、シアン、ブラックと異なる以外はほぼ同一に構成される。以下では、画像形成部Ｐａについて説明し、他の画像形成部Ｐｂ、Ｐｃ、Ｐｄについては、説明中の符号末尾のａを、ｂ、ｃ、ｄに読み替えて説明されるものとする。
【００３０】
図２に示すように、画像形成部Ｐａは、感光ドラム１ａの周囲に、帯電装置２ａ、露光装置３ａ、現像装置４ａ、一次転写ローラ５ａ、クリーニング装置６ａを配置する。
【００３１】
感光ドラム１ａは、アルミニウム製シリンダの外周面に、帯電極性が負極性の有機感光体材料（ＯＰＣ）の光導電体層を形成してある。感光ドラム１ａは、中間転写ベルト７の駆動モータ（Ｍ３：図１）から駆動力を分配して、ほぼ２００ｍｍ／秒のプロセススピードで矢印Ｒ１方向に回転する。
【００３２】
帯電装置２ａは、不図示の加圧バネによって帯電ローラを感光ドラム１ａに所定の圧力で圧接させ、感光ドラム１の回転に従動して回転させる。
【００３３】
電源Ｄ３は、直流電圧−５００Ｖと周波数１５００Ｈｚの交流電圧１４００Ｖｐｐを重畳した帯電電圧を帯電ローラの芯金に印加する。帯電ローラは、金属軸上に、カーボン分散ＥＰＤＭ系発泡スポンジゴムの弾性層、カーボン分散ＮＢＲ系ゴムの中間層、カーボンを分散させたフッ素系樹脂の離型層を順に積層した３層構成である。
【００３４】
露光装置３ａは、イエローの分解色画像を展開した走査線画像データをＯＮ−ＯＦＦ変調したレーザービームを回転ミラーで走査して、帯電した感光ドラム１ａの表面に画像の静電像を書き込む。
【００３５】
現像装置４ａは、非磁性のトナーに磁性キャリアを混合した二成分現像剤を攪拌して、トナーを負極性に帯電させる。帯電したトナーは、固定磁極４ｊの磁力によって現像スリーブ４ｓの表面に穂立ち状態で担持されて、感光ドラム１ａを摺擦する。現像スリーブ４ｓは、感光ドラム１ａに３５０μｍのギャップを隔てて対向し、固定磁極４ｊの周囲で、感光ドラム１ａとカウンタ方向に回転する。
【００３６】
電源Ｄ４は、直流電圧−３５０Ｖに４ｋＨｚ・１８００Ｖｐｐの交流電圧を重畳した現像電圧を現像スリーブ４ｓに印加して、現像スリーブ４ｓよりも相対的に正極性となった感光ドラム１ａの静電像へトナーを移動させて、静電像を反転現像する。
【００３７】
一次転写ローラ５ａは、感光ドラム１ａとの間に総荷重１０Ｎ（１０００ｇｆ）で中間転写ベルト７を挟み込んで従動回転して、感光ドラム１ａと中間転写ベルト７との間に一次転写部Ｔ１を形成する。
【００３８】
一次転写ローラ５ａは、金属軸上に半導電性のポリウレタン系発泡ゴム層を形成した、アスカーＣ硬度１０で、ローラ抵抗が１×１０６の半導電性ローラ材を使用した。ローラ抵抗は、温度２３℃、相対湿度５０％ＲＨの環境で、一次転写ローラ５ａの金属軸の両端に各５００ｇの錘を載せ、電流計を介してアースされた金属板に押圧し、５０Ｖの電圧を印加して測定した金属板に流れる電流から算出した。
【００３９】
電源Ｄ１は、一次転写ローラ５ａの金属軸に正極性の直流電圧を印加して、負極性に帯電して感光ドラム１ａに担持されたトナー像を、一次転写部Ｔ１を通過する中間転写ベルト７へ移動させる。
【００４０】
クリーニング装置６ａは、デュロメータＡ硬度７０で２ｍｍ厚のウレタン材質のクリーニングブレードを感光ドラム１ａに摺擦して、一次転写部Ｔ１を通過して感光ドラム１ａの表面に残留した転写残トナーを除去する。
【００４１】
図１に示すように、中間転写体の一例である中間転写ベルト７は、駆動ローラ１３、バックアップローラ１０、テンションローラ１２に掛け渡して支持され、駆動モータＭ３に駆動されて矢印Ｒ２方向に回転する。
【００４２】
二次転写ローラ１１は、中間転写ベルト７を介してバックアップローラ１０に圧接して、中間転写ベルト７と二次転写ローラ１１との間に二次転写部Ｔ２を形成する。中間転写ベルト７のトナー像に重ね合わせて、記録材Ｐが二次転写部Ｔ２を挟持搬送される過程で、中間転写ベルト７から記録材へトナー像が移動する。
【００４３】
二次転写ローラ１１は、金属軸上に半導電性のＮＢＲゴムとヒドリンゴムを主成分とする発泡ゴム層を形成した、アスカーＣ硬度３５で、ローラ抵抗が１×１０８の半導電性ローラ材を使用した。ローラ抵抗は、一次転写ローラ５ａと同じ測定装置を用いて２０００Ｖの電圧を印加して測定した、金属板に流れる電流から算出した。
【００４４】
バックアップローラ１０は、金属軸上にカーボン分散ＥＰＤＭゴムの低抵抗層を形成したゴムローラで接地電位に接続されている。
【００４５】
電源Ｄ２は、正極性の定電圧を二次転写ローラ１１のローラ軸へ印加して、バックアップローラ１０と中間転写ベルト７と記録材Ｐと二次転写ローラ１１との直列回路に転写電流を流す。転写電流の一部が中間転写ベルト７のトナー載り部を流れて、中間転写ベルト７から記録材Ｐへのトナーの移動に関与する。
【００４６】
クリーニング装置１９は、デュロメータＡ硬度７５で２ｍｍ厚のポリウレタンのクリーニングブレード１９ｂの先端を、中間転写ベルト７の表面に、カウンタ方向に当接させる。クリーニング装置１９は、記録材Ｐに転写されることなく二次転写部Ｔ２を通過した中間転写ベルト７上の転写残トナー、及び、二次転写部Ｔ２で記録材Ｐから中間転写ベルト７へ付着した紙粉をクリーニングブレード１９ｂにより摺擦除去する。
【００４７】
なお、クリーニング装置６ａ、１９は、クリーニングローラ、クリーニングウエブ、クリーニングブラシ、静電ブラシ等を用いるものでもよい。
【００４８】
図２に示すように、制御部１１０は、露光装置３ａを制御して静電像を感光ドラム１ａに書き込み、現像装置４ａで現像して制御用トナー像ｔを形成する。制御用トナー像ｔは、一次転写部Ｔ１にて中間転写ベルト７に一次転写されて光学検知センサ８下へ搬送される。
【００４９】
制御部１１０は、光学検知センサ８を通じて制御用トナー像ｔを検知して、露光装置３ａの書き込みタイミングを調整して、中間転写ベルト７に転写されるイエロートナー像の位置を制御する。
【００５０】
図１に示すように、同様にして、画像形成部Ｐａ、Ｐｂ、Ｐｃ、Ｐｄは、感光ドラム１ａ、１ｂ、１ｃ、１ｄに同時に形成した制御用トナー像を中間転写ベルト７にそれぞれ転写する。イエロー、マゼンタ、シアン、ブラックの制御用トナー像を光学検知センサ８が検知することにより、露光装置１ａ、１ｂ、１ｃ、１ｄの動作タイミングが調整されて、各色トナー像の搬送方向の色ずれが補正される。
【００５１】
また、制御部１１０は、画像形成部Ｐａ、Ｐｂ、Ｐｃ、Ｐｄを同様に制御して濃度検知用トナー像（カラーパッチ）を感光ドラム１ａ、１ｂ、１ｃ、１ｄに形成して、中間転写ベルト７に一次転写する。制御部１１０は、光学検知センサ８を通じて濃度検知用トナー像を検知して、画像形成部Ｐａ、Ｐｂ、Ｐｃ、Ｐｄのトナー像形成条件を調整して、画像の濃度とカラーバランスとを最適化する。
【００５２】
＜使用履歴の累積に伴う中間転写ベルトの光沢度の低下＞
図３に示すように、光学検知センサ８は、ＬＥＤ８ａから照射した赤外光の中間転写ベルト７からの正反射光を、フォトダイオード８ｂで検知して、反射光量に応じたアナログ電圧を出力する。移動方向の検知精度を確保するために、ＬＥＤ８ａとフォトダイオード８ｂとは中間転写ベルトの幅方向に配置されている。
【００５３】
光学検知センサ８は、中間転写ベルト７の表面の正反射光をバックグラウンドとして、トナー像（ｔ：図２）に散乱されただけ低下した正反射光を検知する。このため、画像形成の累積に伴って中間転写ベルト７の光沢度が低下して散乱光が増えると、中間転写ベルト７に担持された制御用トナー像や濃度検知用トナー像の検知精度が低下する。
【００５４】
ここで、中間転写ベルト７の光沢度が低下する理由は、いくつかの記録材に含まれる添加剤が研磨剤として機能して、中間転写ベルト７の表面を粗く研磨するためである。事務機用の光沢紙として一般に販売されているいくつかの紙には、添加剤として大きいものでは外径が数μｍある炭酸カルシウム等の無機成分が５〜２０重量％程度含まれている。
【００５５】
このため、中間転写体と転写回転体との間に速度差があると、添加材を含む記録材が中間転写体の表面を研磨して、研磨仕上げされた中間転写体の表面の微小組織を大きく損なわせて光沢度を低下させてしまう。特に、中間転写体の研磨目を逆立てる方向に紙が中間転写ベルト７を摺擦すると、添加剤粒子が研磨目に引っ掛かって研磨目の先端をささくれさせると考えられる。
【００５６】
図１に示すように、制御用トナー像の検知精度が低下すると、画像形成部Ｐａ、Ｐｂ、Ｐｃ、Ｐｄにおけるトナー像の形成タイミングの同期が崩れて、中間転写ベルト７における各色トナー像の重ね合わせ誤差が増大する。濃度検知用トナー像の検知精度が低下すると、出力画像の濃度やカラーバランスが変動する。
【００５７】
また、Ａ５サイズ記録材を大量に連続画像形成した後に、Ａ４サイズ記録材に画像形成すると、Ａ５幅の領域の内側と外側とで表面粗さの差を生じて、表面粗さの差がトナーの転写効率の差となって画像品質が低下する。
【００５８】
このため、画像の色ずれや濃度異常が目立つようになると、中間転写ベルト７を新品交換して、バックグランドの光沢度を元に戻す必要が出てくる。
【００５９】
＜中間転写ベルト＞
図４は中間転写ベルトの表面研磨装置の説明図、図５は研磨装置における中間転写ベルトの移動方向と研磨目の方向との関係の説明図、図６は研磨前後における中間転写ベルトの表面の電子顕微鏡写真である。
【００６０】
（１）ポリエーテルエーテルケトン（Ｖｉｃｔｒｅｘ社製、商品名「ビクトレックスＰＥＥＫ４５０Ｐ」)と導電性カーボンブラック（電気化学工業製、商品名「デンカブラック」）とを所定比率にてブレンドして、ペレット材料を作製した。
【００６１】
（２）ペレット材料を溶融し、環状リップを有するダイスを通じて、下方へチューブ状に溶融押出し成形し、引き出し速度を調整してチューブ材料の厚みを調整した。
【００６２】
（３）冷却したチューブ材料をベルト幅寸法に切断して無端状のベルト材料を作成した。
【００６３】
（４）内壁面を鏡面状に仕上げた外型と空気圧により増径する内型との間にベルト材料を配置し、加熱軟化状態で内型を増径させて、ベルト材料の表面を外型に押し付けて鏡面を転写した。また、所定温度で加熱軟化状態を保って所定時間保持することにより、樹脂組織の結晶化を所定割合だけ進行させた。
【００６４】
（５）冷却したチューブ状の樹脂ベルト材は、表面に光沢ムラが出来ていたため、図４に示す表面研磨装置により、回転状態で研磨フィルムに摺擦させて、表面を研磨して一様な鏡面状に仕上げた。
【００６５】
このようにして形成された体積抵抗率１×１０１０Ω・ｃｍ、表面抵抗率１×１０１２Ω／□で、厚み７５μｍの熱可塑性ポリエーテルエーテルケトンのシームレスベルトを中間転写ベルト７に使用した。
【００６６】
電気抵抗は、温度２３℃、相対湿度５０％ＲＨの環境で、アドバンテスト社製Ｒ８３４０Ａ測定器を用いて、主電極外径５０ｍｍ、ガード電極７０ｍｍのプローブにより、印加電圧１００Ｖ、チャージ時間１０秒の条件で測定した。
【００６７】
なお、中間転写ベルト７は、ポリブチレンテレフタレート、又はポリフェニレンサルファイド、ポリエチレンテレフタレート、ポリフッ化ビニリデン、ポリカーボネート等の熱可塑性樹脂を使用しても実用に適うことが確認されている。
【００６８】
中間転写ベルト７の電気抵抗は、体積抵抗率が１×１０７〜１×１０１２Ω・ｃｍ、表面抵抗率が１×１０９〜１×１０１４Ω／□が適している。そして、体積抵抗率が１×１０８〜１×１０１１Ω・ｃｍ、表面抵抗率が１×１０１１〜１×１０１３Ω／□がより適している。
【００６９】
図４に示すように、研磨装置３０は、駆動ローラ３１、テンションローラ３２、および従動ローラ３３に中間転写ベルト７を掛け渡して、駆動ローラ３１によって送り速度２５０ｍｍ／秒にて回転駆動する。
【００７０】
研磨フィルム３４は、１２００番〜２０００番であって、中間転写ベルト７の全幅を同時に研磨できる幅を有し、給送ローラ３５にロール状態で装填され、押圧ローラ３６を周回して、巻き取りローラ３８に送り速度０．５ｍｍ／秒にて巻き取り回収される。
【００７１】
押圧ローラ３６は、加圧ばね３７に総圧力５０Ｎ（５ｋｇｆ）で付勢されて、研磨フィルム３４を線圧力５０Ｎ／４００ｍｍにて、駆動ローラ３１にバックアップされた中間転写ベルト７に摺擦させる。
【００７２】
中間転写ベルト７は、研磨装置３０を用いて、表面の光沢ムラと粗さムラがなくなった後、光沢度が１２０になるまで研磨仕上げした。光沢度の測定は、株式会社堀場製作所製ハンディ光沢計ＩＧ−３２０を使用した。
【００７３】
図５に示すように、研磨仕上げされた中間転写ベルト７の表面には、研磨装置３０における中間転写ベルト７の移動方向の下流側に向かって研磨目が形成されていた。
【００７４】
図６に示すように、研磨仕上げされた中間転写ベルト７の表面を電子顕微鏡で２万倍に拡大して観察すると、表面組織が破断した破断面が微粒子状に無数分散した研磨痕跡が確認された。研磨痕跡の破断面を一端とする研磨目の方向は、研磨仕上げの際に、研磨フィルム３４の表面が中間転写ベルト７に対して相対移動して表面組織を引き摺った方向に形成されていた。表面の樹脂組織が砥粒に引き摺られて破断した後に後続の砥粒によって均された粒子状の無数の破断面が研磨痕跡となって、研磨装置３０における中間転写ベルト７の移動方向の下流側に向かって形成されていた。
【００７５】
従って、電子顕微鏡で２万倍に拡大して観察した際に組織の微粒子状の破断面が向いている方向が、研磨仕上げ時の中間転写ベルト７の表面に対する研磨部材の相対移動方向である。
【００７６】
研磨仕上げされた中間転写ベルト７の表面は、光沢度が１２０、表面粗さが十点平均粗さで１μｍ以下に研磨仕上げされて鏡面状の外観である。ベルト幅方向の表面粗さは十点平均粗さで０．５μｍ、周方向の粗さは十点平均粗さで０．３μｍであった。
【００７７】
十点平均粗さ（ＪＩＳ  Ｂ０６０１：２００１付属書記載）は、株式会社小坂研究所製表面粗さ測定機ＳＥ３５００を使用し、カットオフ値０．８ｍｍ、測定長さ４ｍｍ、測定速度０．１ｍｍ／秒の条件で測定した。
【００７８】
＜実施例１＞
図７は実施例１における研磨目の方向の説明図、図８は比較例１における研磨目の方向の説明図、図９は実施例１と比較例１とにおける記録材の相対移動方向と研磨目の方向との関係の説明図である。図１０は実施例１における光学検知センサの配置の説明図、図１１は実施例１における中間転写ベルトの光沢度の変化の説明図、図１２は比較例１における中間転写ベルトの光沢度の変化の説明図である。
【００７９】
図２に示すように、転写回転体の一例である二次転写ローラ１１は、モータＭ２に駆動されて、中間転写ベルト７よりも２％高い表面速度で回転する。二次転写ローラ１１は、中間転写ベルト７の表面速度２００ｍｍ／秒に対して、２０４ｍｍ／秒（周速差２％）の表面速度で移動して、中間転写ベルト７の下流側に向かって押し出すように、中間転写ベルト７の表面に記録材Ｐを摺擦させる。
【００８０】
図７に示すように、実施例１では、中間転写ベルト７の研磨目の方向が中間転写ベルト７の移動方向の上流側に向くように、中間転写ベルト７を画像形成装置１００に取り付けた。従って、研磨目は、クリーニングブレード１９ｂによって逆立てられる方向（逆目方向と定義する）に設定される。
【００８１】
図８に示すように、比較例１では、中間転写ベルト７の研磨目の方向が中間転写ベルト７の移動方向の下流側に向くように、中間転写ベルト７を画像形成装置１００に取り付けた。従って、研磨目は、クリーニングブレード１９ｂによって均される方向（順目方向と定義する）に設定される。
【００８２】
図９の（ａ）に示すように、実施例１における中間転写ベルト７に対する記録材Ｐの相対移動方向は、研磨目の方向と一致しているので、中間転写ベルト７の研磨目は記録材Ｐの表面で均される。
【００８３】
図９の（ｂ）に示すように、比較例１における中間転写ベルト７に対する記録材Ｐの相対移動方向は、研磨目の方向と反対なので、中間転写ベルト７の研磨目は記録材Ｐの表面で逆立てられる。
【００８４】
図１０に示すように、中間転写ベルト７の記録材Ｐに接触しない領域（２）と、記録材Ｐに接触する領域（１）とで、画像形成の累積枚数の各段階における光沢度を測定した。
【００８５】
図１０には、Ａ４縦送りで記録材Ｐを給送した場合の、中間転写ベルト７に対する記録材Ｐ、感光ドラム１ａ、及びクリーニングブレード１９ｂの幅方向の長さ関係も示した。
【００８６】
中間転写ベルト７には、画像形成装置（１００：図１）における中間転写ベルト７の回転方向に対応させて表示の一例であるマーク７ｍが印刷されている。装着に際してマーク７ｍを目印にすることにより、組み立て時と交換時、中間転写ベルト７の取り付け方向を間違わないで済む。
【００８７】
そして、実施例１と比較例１とでＡ４光沢紙を縦送りして、１００００枚の連続画像形成を行った。このときの中間転写ベルト７の光沢度の変化を、実施例１については図１１、比較例１については図１２に示す。
【００８８】
図１１に示すように、実施例１では、１００００枚の連続画像形成を通じて、記録材Ｐに接触する領域（１）と記録材Ｐに接触しない領域（２）とで光沢度の差はあまり開かなかった。記録材Ｐと感光ドラム１ａとクリーニングブレード１９ｂとに、１００００回接触した領域の光沢度は、感光ドラム１ａとクリーニングブレード１９ｂとに１００００接触した領域の光沢度に近い。
【００８９】
図１２に示すように、比較例１では、１００００枚の連続画像形成を通じて、記録材Ｐに接触する領域（１）と記録材Ｐに接触しない領域（２）とで光沢度の大きな差が生じた。感光ドラム１ａとクリーニングブレード１９ｂとに１００００回接触した領域の光沢度は、低下しなかったが、記録材Ｐに１００００回接触した領域の光沢度は、大きく低下した。
【００９０】
これにより、図１に示す光学検知センサ８を、記録材Ｐに接触する領域（１）に対向させて配置した場合、中間転写ベルト７上の制御用トナー像を検知して行う露光タイミングの制御は大きな誤差を生じてしまう。すなわち、中間転写ベルト７の光沢度が６０以下になると、中間転写ベルト７のバックグラウンドと制御用トナー像との光量差がほとんどなくなってしまい、制御用トナー像の輪郭を検知できなくなる。そのため、比較例１では、光学検知センサ８を、記録材Ｐに接触する領域（１）に対向させると、８０００枚前後から色ずれがたびたび発生した。
【００９１】
すなわち、感光ドラム１ａとクリーニングブレード１９ｂとに対する接触は、研磨目の方向が違っても、中間転写ベルト７の光沢度にさほど影響を与えない。クリーニングブレード１９ｂの摺擦が研磨目を均す方向でも逆立てる方向でも中間転写ベルト７の表面の微小構造はあまり変化しない。
【００９２】
しかし、光沢紙に対する接触は、研磨目の方向が違うと、中間転写ベルト７の光沢度に大きな影響を及ぼす。記録材Ｐの摺擦が研磨目を均す方向であれば、中間転写ベルト７の表面の微小構造はあまり変化しないが、逆立てる方向では大きく変化して光沢度を低下させてしまう。
【００９３】
逆に言えば、実施例１のように、中間転写体と転写回転体との速度差に起因する記録材Ｐの相対移動方向を、研磨目の方向と一致させることで、中間転写ベルト７の光沢度の変化をほとんど無くすことができる。実施例１のように研磨目の方向を設定するだけで、１００００枚の連続画像形成を経ても、中間転写ベルト７の光沢度は１２２を確保できる。このため、光学検知センサ８を、記録材Ｐに接触する領域（１）に対向させて配置した場合でも、高い精度で制御用トナー像を読み取って、最後まで各色トナー像を精密に重ね合わせできる。
【００９４】
また、中間転写ベルト７の光沢度の低下は、制御用トナー像の検知精度等に影響するだけではない。中間転写ベルト７におけるトナーの担持性や転写効率が、記録材Ｐに接触する領域（１）と記録材Ｐに接触しない領域（２）とで違ってくるため、領域（１）と領域（２）で画像の濃度ムラが発生する場合がある。
【００９５】
ここで、中間転写ベルト７の研磨目は十点平均粗さで０．５μｍと小さいので、表面粗さの小さい感光ドラム１ａ及びクリーニングブレード１９ｂとの摺擦では、研磨目の先端のささくれが発生しなかったためと考えられる。実際の研磨目の高さは最大で０．５μｍ程度である。
【００９６】
また、外径０．１μｍ程度のトナー外添剤が中間転写ベルト７と感光体ドラム１及びクリーニングブレード１９ｂとの接触面に介在して、中間転写ベルト７の研磨目と感光体ドラム１ａ、クリーニングブレード１９ｂとの直接の接触を阻害しているとも考えられる。
【００９７】
以上述べたように、中間転写ベルト７よりも二次転写ローラ１１の周速度を高く設定した場合、記録材Ｐは、中間転写ベルト７に対して等速以上で搬送されて二次転写部Ｔ２を通過する。従って、実施例１のように、中間転写ベルト７の表面の研磨目を下流側に向かって配置することで、中間転写ベルト７の光沢低下を防止できる。
【００９８】
実施例１では、研磨装置３０を中間転写ベルト７の幅方向に往復移動することなく、研磨フィルム３４を中間転写ベルト７の移動方向へ直線状に摺擦させている。このため、研磨目は搬送方向に形成されるので、研磨装置３０を幅方向に往復移動させて搬送方向に対して斜めの研磨目を形成した場合に比較して、研磨目の端部の破断面の縁が崩れ難くなっている。
【００９９】
＜実施例２＞
図１３は実施例２および実施例３における記録材の相対移動方向と研磨目の方向との関係の説明図である。
【０１００】
実施例２では、研磨装置３０を用いた中間転写ベルト７の研磨仕上げ条件を、実施例１とは少し異ならせた。
【０１０１】
また、二次転写部Ｔ２における中間転写体と転写回転体との相対速度を実施例１とは逆に設定し、これにより、中間転写ベルト７の研磨目の方向は、比較例１と同じに設定した。実施例１と同じ方向に設定すると、二次転写部Ｔ２を通過する記録材Ｐが中間転写ベルト７の研磨目を逆立てる方向に摺擦して、中間転写ベルト７の光沢度を早期に低下させるからである。
【０１０２】
中間転写ベルト７は、実施例１と同じ材料と研磨装置３０とを用いて、中間転写ベルト７の送り速度２５０ｍｍ／秒、研磨フィルム３４の送り速度１．０ｍｍ／秒、線圧力７ｋｇ／４００ｍｍにて研磨仕上げした。研磨仕上げ直後の光沢度は１１０、ベルト幅方向の表面粗さは十点平均粗さで０．６μｍ、周方向の粗さは０．４μｍであった。
【０１０３】
中間転写ベルト７には、画像形成装置（１００：図１）における中間転写ベルト７の回転方向に対応させて表示の一例であるマークが印刷されている。装着に際して取り付け方向を間違わないためである。ただし、記録材Ｐに対する中間転写ベルト７の相対移動方向が実施例１と逆向きなので、図１０に示すマーク７ｍとは逆向きである。
【０１０４】
図１３に示すように、実施例２では、中間転写ベルト７の研磨目の方向が中間転写ベルト７の移動方向の下流に向くように画像形成装置１００に取り付けた。従って、研磨目は、クリーニングブレード１９ｂに均される方向（順目方向と定義する）に設定される。
【０１０５】
図２に示すように、二次転写ローラ１１は、中間転写ベルト７の表面速度２００ｍｍ／秒に対して、１９６ｍｍ／秒（周速差２％）の表面速度を持たせてある。記録材Ｐは、中間転写ベルト７に対して等速以下で搬送され、中間転写ベルト７の研磨目は、図１３に示すように、記録材Ｐの表面で均される方向に摺擦される。
【０１０６】
実施例１と同様に１００００枚の連続画像形成を行ったところ、連続画像形成終了後の中間転写ベルト７の光沢度は１１５に維持されていた。そして、光学検知センサ８を、記録材Ｐに接触する領域（１）に対向させて配置した場合でも、連続画像形成を通じて制御用トナー像の検知誤差に起因する色ずれは発生しなかった。
【０１０７】
＜実施例３＞
実施例３では、研磨装置３０を用いた中間転写ベルト７の研磨仕上げ条件を、実施例１とは少し異ならせた。
【０１０８】
また、二次転写ローラ１１を中間転写ベルト７に従動回転させることにより、実施例２と等しい中間転写体と転写回転体との相対速度関係を二次転写部Ｔ２に設定した。従って、中間転写ベルト７の研磨目の方向の関係は、実施例２と同じに設定となる。
【０１０９】
中間転写ベルト７は、実施例１と同じ材料と研磨装置３０とを用いて、中間転写ベルト７の送り速度２５０ｍｍ／秒、研磨フィルムＡの送り速度０．５ｍｍ／秒、線圧力５ｋｇ／４００ｍｍにて研磨仕上げした。研磨ヘッドＢを中間転写ベルト７の幅方向に揺動させて、中間転写ベルト７の表面を波目状に研磨した。揺動ストローク４ｍｍ、揺動速度３００ｃｐｍの条件で、表面の光沢ムラと粗さムラがなくなるまで研磨した。その時の光沢度は１００、ベルト幅方向の表面粗さは十点平均粗さで１．０μｍ、周方向の粗さは０．９μｍであった。
【０１１０】
図１３に示すように、実施例３では、中間転写ベルト７の研磨目の方向が中間転写ベルト７の移動方向の下流に向くように画像形成装置１００に取り付けた。従って、研磨目は、クリーニングブレード１９ｂに均される方向（順目方向と定義する）に設定される。
【０１１１】
図２に示すように、二次転写ローラ１１は、独自の駆動モータを持たず、中間転写ベルト７に圧接して従動回転する。記録材Ｐは、中間転写ベルト７に対して等速以下で搬送され、中間転写ベルト７の研磨目は、図８の（ａ）に示すように、記録材Ｐの表面で均される方向に摺擦される。
【０１１２】
実施例１と同様に１００００枚の連続画像形成を行ったところ、連続画像形成終了後の中間転写ベルト７の光沢度は９５に維持されていた。そして、光学検知センサ８を、記録材Ｐに接触する領域（１）に対向させて配置した場合でも、連続画像形成を通じて制御用トナー像の検知誤差に起因する色ずれは発生しなかった。
【０１１３】
＜その他の実施形態＞
第１実施形態の画像形成装置１００は、中間転写ベルト７上のトナー像を記録材Ｐに二次転写するため転写電圧を二次転写ローラ１１に印加したが、バックアップローラ１０に逆極性の転写電圧を印加する実施形態としてもよい。
【０１１４】
第１実施形態の画像形成装置１００は、複数の画像形成部Ｐａ、Ｐｂ、Ｐｃ、Ｐｄを配置しているが、単一の画像形成部を配置した実施形態としてもよい。
【０１１５】
＜他材料との比較＞
従来、中間転写ベルトには、高い弾性係数を持ち、耐熱性、耐摺擦性、材料強度に優れた熱硬化性のポリイミド樹脂が採用されていた。ポリイミド樹脂は、液体状態で型の鏡面に押し付けて加熱硬化させるため、表面に光沢ムラがほとんど形成されず、従って、研磨仕上げが不要である。仮に、研磨仕上げしたとしても、材料の表面硬度が十分に高いため、画像形成の累積に伴う光沢度の低下は遅い。
【０１１６】
しかし、ポリイミド樹脂は、溶融押出成形が不可能であるため、ポリイミド前駆体を含有するワニスを用いた湿式成形法を選択する他なく、生産性の低さ、寸法管理の困難さ等に起因して多大な製造コストを要する。また、ワニス中での導電材料の不均一分散により、体積抵抗率のバラツキも大きい。
【０１１７】
これに対して、熱可塑性樹脂は、連続生産により高い生産性を実現できるため、製造コストはポリイミド樹脂に比較して格段に低くなる。特許文献２、３に示されるように、熱可塑性樹脂を単層で用いる場合、押出成形、加熱融着、加熱圧延といった加工方法を採用して、部品コストを下げることができる。
【０１１８】
また、熱可塑性樹脂は、ゴム材料に比べて材料の剛性が大きいので、表面粗さを小さく加工でき、摩擦係数も低いため、一般に使用されるウレタンクリーニングブレードによるクリーニングも可能である。
【０１１９】
しかし、熱可塑性樹脂のベルト材料を加熱圧延する際に熱及び圧力をベルト全周に完全に均一に与えることは困難で、不均一に起因して、表面に光沢ムラや表面粗さムラが発生する。このため、表面を研磨仕上げする必要が発生し、研磨仕上げによって表面に研磨目が形成されてしまう。
【０１２０】
そして、熱可塑性樹脂は、分子鎖が三次元架橋構造をとらないため、熱硬化性樹脂や紫外線硬化樹脂に比べて材料強度が劣る。そのため、二次転写部での記録材との摺擦によって、研磨目の先端がささくれ易く、ささくれの凹凸が光を乱反射させるために、中間転写ベルトの光沢が低下し易い。
【０１２１】
ここで、耐熱性、耐摺擦性、材料強度に難点のある熱可塑性樹脂を基層に配置し、基層の上に紫外線硬化性のアクリル系樹脂の表面層を積層して表面を強化することも可能である。しかし、表面層を形成すると、生産性が低下して製造コストが上昇し、抵抗性や厚み制御も難しくなる等、熱可塑性樹脂を採用する利点が失われ、中間転写ベルトとしての部品コストは高くなる。
【０１２２】
また、従来、中間転写ベルトの製造に際しては、表面を研磨仕上げする例（特許文献１）もあったが、クリーニングブレードの保護や、厚み調整や、光沢度（表面粗さ）ムラ改善を目的としていた。
【０１２３】
すなわち、これらの先行技術においては、積極的に耐摩耗性の高い方向を形成して、その方向性を利用して記録材との摺擦抵抗力を高めるという本発明の技術思想は無かった。
【０１２４】
本発明の画像形成装置は、表面が研磨加工された熱可塑性樹脂材料の単層の中間転写体を用いた際に、記録材との摺擦による光沢度の低下を遅らせる。転写部で、研磨目が常に記録材によって均されるように、転写回転体の表面速度を設定することで、研磨目がある熱可塑性樹脂の単層の中間転写体の光沢度の低下を遅らせる。これにより、各色トナーの色ずれやトナー濃度異常、転写ムラのない品質の高い画像を長期に渡り形成し続けることが可能になる。
【図面の簡単な説明】
【０１２５】
【図１】第１実施形態の画像形成装置の構成の説明図である。
【図２】画像形成部及び二次転写部の構成の説明図である。
【図３】光学検出センサの説明図である。
【図４】中間転写ベルトの表面研磨装置の説明図である。
【図５】研磨装置における中間転写ベルトの移動方向と研磨目の方向との関係の説明図である。
【図６】研磨前後における中間転写ベルトの表面の電子顕微鏡写真である。
【図７】実施例１における研磨目の方向の説明図である。
【図８】比較例１における研磨目の方向の説明図である。
【図９】実施例１と比較例１とにおける記録材の相対移動方向と研磨目の方向との関係の説明図である。
【図１０】実施例１における光学検知センサの配置の説明図である。
【図１１】実施例１における中間転写ベルトの光沢度の変化の説明図である。
【図１２】比較例１における中間転写ベルトの光沢度の変化の説明図である。
【図１３】実施例２および実施例３における記録材の相対移動方向と研磨目の方向との関係の説明図である。
【符号の説明】
【０１２６】
１ａ、１ｂ、１ｃ、１ｄ  像担持体（感光ドラム）
７  中間転写体（中間転写ベルト）
７ｍ  回転方向（マーク）
８  光学検知センサ
１０  バックアップローラ
１１  転写回転体（二次転写ローラ）
１９  クリーニング装置
１９ｂ  クリーニングブレード
２５  定着装置
３０  研磨仕上げ（研磨装置）
３４  研磨部材（研磨フィルム）
３６  押圧ローラ
Ｄ２  電源手段（電源）
Ｍ２、Ｍ３  駆動モータ
Ｐ  記録材
Ｔ２  転写部（二次転写部）
１００  画像形成装置
【図１】
2009063901.tif 000003
【図２】
2009063901.tif 000004
【図３】
2009063901.tif 000005
【図４】
2009063901.tif 000006
【図５】
2009063901.tif 000007
【図６】
2009063901.tif 000008
【図７】
2009063901.tif 000009
【図８】
2009063901.tif 000010
【図９】
2009063901.tif 000011
【図１０】
2009063901.tif 000012
【図１１】
2009063901.tif 000013
【図１２】
2009063901.tif 000014
【図１３】
2009063901.tif 000015